(57)【要約】      （修正有）【課題】  シフトレバーのみならず作動リンクや作動レバーの衝突に起因する衝突音を防止・抑制することができるシフトレバー装置を得る。【解決手段】  操作レバー２６がリンク・センサ４８と共に所定のホームポジションに自動復帰する際には、緩衝手段としてのスプリング６０の捩り力によって、リンク・センサ４８とケース４６との衝撃が緩衝される。したがって、リンク・センサ４８のケース４６への衝突に起因する衝突音（打撃音）が防止・抑制される。しかも、リンク・センサ４８は常に操作レバー２６に連動するため、スプリング６０によってリンク・センサ４８とケース４６との衝撃が緩衝されることで、操作レバー２６と他の部材（例えば、ハウジング・レバーガイド３６に開口するガイド溝３８）との衝撃も緩衝されることになり、操作レバー２６自体の衝突に起因する衝突音（打撃音）も防止・抑制される。【選択図】      図１
2006213074.tif 000002
【特許請求の範囲】
【請求項１】
セレクト操作及びこれと直交する方向のシフト操作によって任意のシフトレンジが選択可能なシフトレバー装置において、
前記セレクト操作方向に沿って配置されたシャフト・シフトポジションに回転自在に支持され、前記シャフト・シフトポジション周りに揺動可能なリテーナと、
前記シャフト・シフトポジションと直交するシャフト・セレクトポジションによって下端部が前記リテーナの下端部に回転自在に連結され、前記シャフト・セレクトポジション周りに回転することで前記セレクト操作されると共に、前記リテーナと共に前記シャフト・シフトポジション周りに回転することで前記シフト操作され、かつ、所定のホームポジションに自動復帰する操作レバーと、
前記操作レバーのセレクトポジションを検出するためのセレクトポジションセンサが設けられたケースと、
前記操作レバーに対応して前記ケースに揺動可能に支持されると共に常に前記操作レバーの前記セレクト操作に連動し、前記セレクトポジションセンサを作動させるリンク・センサと、
前記操作レバーが前記ホームポジションに復帰する際の前記リンク・センサと前記ケースとの衝撃を緩衝する緩衝手段と、
を備えたことを特徴とするシフトレバー装置。
【請求項２】
前記緩衝手段は、前記リンク・センサの揺動支軸部分に巻装されると共に一端が前記リンク・センサに係止され他端が前記ケースに係合して捩り力により前記緩衝を成すスプリングとされる、
ことを特徴とする請求項１記載のシフトレバー装置。
【請求項３】
前記緩衝手段は、前記リンク・センサに形成され前記ケースに係合して弾性力により前記緩衝を成す突出片とされる、
ことを特徴とする請求項１記載のシフトレバー装置。
【請求項４】
前記緩衝手段は、前記ケースに傾斜して形成され前記リンク・センサに係合して摩擦力により前記緩衝を成す傾斜凸部とされる、
ことを特徴とする請求項１記載のシフトレバー装置。
【発明の詳細な説明】
【技術分野】
【０００１】
本発明は、車両の変速機に用いられるシフトレバー装置に関する。
【背景技術】
【０００２】
自動変速機をシフトするためのシフトレバー装置のうち、ハウジングに開口するガイド溝のパターンに沿ってシフトレバー（操作レバー）をセレクト操作及びこれと直交する方向のシフト操作することによって任意のシフトレンジが選択可能なものがある。この種のシフトレバー装置のガイド溝のパターンは、所謂ストレート式、所謂Ｈパターン式、及び所謂ゲート式等といろいろな形式があるが、それぞれシフトレバーの車両左右方向及び車両前後方向（装置の配置位置によっては、上下方向）の動きを検出する必要があり、このため、セレクト操作及びシフト操作のそれぞれに対応してセンサが設けられている。これらの各センサは、シフトレバーに連係して動作する作動リンクや作動レバーによって作動するように構成されている。
【０００３】
ところで、シフトレバーを操作する際に、このシフトレバーがハウジングのガイド溝と衝突すると衝突音が生じる不具合があった。そこで、前述の如き衝突音を防止するために、シフトレバーに樹脂製の緩衝材を設けた構成のものが提案されている（一例として、特許文献１参照）。
【０００４】
このシフトレバー装置では、シフトレバーがガイド溝と衝突しようとしてもこれに先だって緩衝材が衝突（接触）するため、シフトレバーとガイド溝との衝突に起因する衝突音（打撃音）が防止・抑制される。
【０００５】
しかしながら、このような従来のシフトレバー装置に適用された緩衝構造では、ハウジングに開口するガイド溝あるいはシフトレバー自体に樹脂製の緩衝材を設けた構成であるため、前述の如くシフトレバー操作位置検出用の複数のセンサに対応して作動リンクや作動レバーを備えた構成のシフトレバー装置には対応できず、仮にシフトレバーとガイド溝との衝突に起因する衝突音（打撃音）が防止・抑制されたとしても、依然として作動リンクや作動レバーの衝突音が生じていた。特に、シフトレバーがホームポジションに自動復帰するシフトレバー装置では、乗員がシフトレバーから手を放しシフトレバーがホームポジションに自動復帰する際に生じる衝突音が顕著であり、このための対策が切望されていた。
【特許文献１】特開平９−１９６１５４号公報
【発明の開示】
【発明が解決しようとする課題】
【０００６】
本発明は上記事実を考慮し、シフトレバーの操作位置検出のためのセンサをシフトレバーに連係して動作する作動リンクや作動レバーによって作動するように構成ししかもシフトレバーがホームポジションに自動復帰するように構成した場合であっても、シフトレバーのみならず当該作動リンクや作動レバーの衝突に起因する衝突音（打撃音）を防止・抑制することができるシフトレバー装置を提供することを目的とする。
【課題を解決するための手段】
【０００７】
請求項１に係る発明のシフトレバー装置は、セレクト操作及びこれと直交する方向のシフト操作によって任意のシフトレンジが選択可能なシフトレバー装置において、前記セレクト操作方向に沿って配置されたシャフト・シフトポジションに回転自在に支持され、前記シャフト・シフトポジション周りに揺動可能なリテーナと、前記シャフト・シフトポジションと直交するシャフト・セレクトポジションによって下端部が前記リテーナの下端部に回転自在に連結され、前記シャフト・セレクトポジション周りに回転することで前記セレクト操作されると共に、前記リテーナと共に前記シャフト・シフトポジション周りに回転することで前記シフト操作され、かつ、所定のホームポジションに自動復帰する操作レバーと、前記操作レバーのセレクトポジションを検出するためのセレクトポジションセンサが設けられたケースと、前記操作レバーに対応して前記ケースに揺動可能に支持されると共に常に前記操作レバーの前記セレクト操作に連動し、前記セレクトポジションセンサを作動させるリンク・センサと、前記操作レバーが前記ホームポジションに復帰する際の前記リンク・センサと前記ケースとの衝撃を緩衝する緩衝手段と、を備えたことを特徴としている。
【０００８】
請求項１記載のシフトレバー装置では、操作レバーがセレクト操作及びシフト操作されることによって任意のシフトレンジが選択される。すなわち、操作レバーがセレクト操作されると、この操作レバーをリテーナに連結するシャフト・セレクトポジション周りに操作レバーのみが回転して、前記セレクト操作される。さらに、操作レバーがシフト操作されると、操作レバーがリテーナと共にシャフト・シフトポジション周りに回転して、前記シフト操作される。また、操作レバーがセレクト操作される際には、操作レバーに連動してリンク・センサが動作し、セレクトポジションセンサが作動されて、操作レバーの位置（セレクトポジション）検出が成される。さらに、乗員が操作レバーから手を放せば、操作レバーは所定のホームポジションに自動復帰する。
【０００９】
ここで、操作レバーが所定のホームポジションに自動復帰する際には、緩衝手段によって、リンク・センサとケースとの衝撃が緩衝される。したがって、リンク・センサのケースへの衝突に起因する衝突音（打撃音）が防止・抑制される。しかも、リンク・センサは常に操作レバーに連動するため、緩衝手段によってリンク・センサとケースとの衝撃が緩衝されることで、操作レバーと他の部材（例えば、ハウジングに開口するガイド溝等）との衝撃も緩衝されることになり、操作レバー自体の衝突に起因する衝突音（打撃音）も防止・抑制される。
【００１０】
このように、請求項１記載のシフトレバー装置では、操作レバーの位置検出のためのセレクトポジションセンサを、操作レバーに連係して動作するリンク・センサによって作動するように構成ししかも操作レバーがホームポジションに自動復帰するように構成しても、操作レバーのみならず当該リンク・センサの衝突に起因する衝突音（打撃音）を防止・抑制することができる。
【００１１】
請求項２に係る発明のシフトレバー装置は、請求項１記載のシフトレバー装置において、前記緩衝手段は、前記リンク・センサの揺動支軸部分に巻装されると共に一端が前記リンク・センサに係止され他端が前記ケースに係合して捩り力により前記緩衝を成すスプリングとされる、ことを特徴としている。
【００１２】
請求項２記載のシフトレバー装置では、リンク・センサの揺動支軸部分に巻装されたスプリングの一端がリンク・センサに係止され他端がケースに係合している。このため、操作レバーが所定のホームポジションに自動復帰する際には、スプリングの捩り力によって前記緩衝が成され、リンク・センサのケースへの衝突に起因する衝突音（打撃音）及び操作レバー自体の衝突に起因する衝突音（打撃音）も防止・抑制される。また、緩衝手段としてスプリングを適用したので、構造も簡単になる。
【００１３】
請求項３に係る発明のシフトレバー装置は、請求項１記載のシフトレバー装置において、前記緩衝手段は、前記リンク・センサに形成され前記ケースに係合して弾性力により前記緩衝を成す突出片とされる、ことを特徴としている。
【００１４】
請求項３記載のシフトレバー装置では、リンク・センサに形成された突出片がケースに係合している。このため、操作レバーが所定のホームポジションに自動復帰する際には、突出片の弾性力によって前記緩衝が成され、リンク・センサのケースへの衝突に起因する衝突音（打撃音）及び操作レバー自体の衝突に起因する衝突音（打撃音）も防止・抑制される。また、緩衝手段として突出片をリンク・センサに形成する構成としたので、構造も簡単になる。
【００１５】
請求項４に係る発明のシフトレバー装置は、請求項１記載のシフトレバー装置において、前記緩衝手段は、前記ケースに傾斜して形成され前記リンク・センサに係合して摩擦力により前記緩衝を成す傾斜凸部とされる、ことを特徴としている。
【００１６】
請求項４記載のシフトレバー装置では、傾斜凸部がケースに傾斜して形成されている。このため、操作レバーが所定のホームポジションに自動復帰する際には、リンク・センサが傾斜凸部に係合することによる摩擦力によって前記緩衝が成され、リンク・センサのケースへの衝突に起因する衝突音（打撃音）及び操作レバー自体の衝突に起因する衝突音（打撃音）も防止・抑制される。また、緩衝手段として傾斜凸部をケースに形成する構成としたので、構造も簡単になる。
【発明の効果】
【００１７】
以上説明したように本発明に係るシフトレバー装置は、操作レバーの位置検出のためのセレクトポジションセンサを操作レバーに連係して動作するリンク・センサによって作動するように構成ししかも操作レバーがホームポジションに自動復帰するように構成した場合であっても、操作レバーのみならず当該リンク・センサの衝突に起因する衝突音（打撃音）を防止・抑制することができるという優れた効果を有する。
【発明を実施するための最良の形態】
【００１８】
図１には、本発明の第１の実施の形態に係るシフトレバー装置１０の全体構成が分解斜視図にて示されている。
【００１９】
このシフトレバー装置１０は、装置本体（外枠）とされるプレート・サブアッシー１２を備えている。このプレート・サブアッシー１２には、シャフト・シフトポジション１４によってリテーナ１６が支持されており、リテーナ１６はシャフト・シフトポジション１４周りに（シャフト・シフトポジション１４と共に）揺動回転可能となっている。シャフト・シフトポジション１４は、ブッシュ１８及びワッシャー２０を介在させてナット２２で締結されている。
【００２０】
リテーナ１６の下端部には、シャフト・セレクトポジション２４によって操作レバー２６が連結されている。シャフト・セレクトポジション２４は、シャフト・シフトポジション１４と直交して設けられており、さらにクリップ２８によって抜け止めされている。これにより、操作レバー２６は、シャフト・セレクトポジション２４周りに回転可能とされ、しかも、リテーナ１６と共にシャフト・シフトポジション１４周りにも回転可能となっている。ここで、操作レバー２６のシャフト・セレクトポジション２４周りの回転がセレクト操作方向（図１矢印Ｘ方向）とされ、操作レバー２６のシャフト・シフトポジション１４周りの回転がシフト操作方向（図１矢印Ｙ方向）とされている。
【００２１】
操作レバー２６には、ディテントロッド３０及びスプリング３２がロッド孔３４に収容されている。このディテントロッド３０は樹脂製とされており、後述するハウジング・レバーガイド３６のディテント溝４２に対応している。
【００２２】
プレート・サブアッシー１２の端部開口部分には、樹脂製のハウジング・レバーガイド３６が設けられている。ハウジング・レバーガイド３６は、ピン４０によってプレート・サブアッシー１２に取り付けられている。このハウジング・レバーガイド３６には、操作レバー２６のセレクト操作及びシフト操作に対応したガイド溝３８が形成されており、操作レバー２６はこのガイド溝３８を挿通して配置されている。図４にも示す如く、ハウジング・レバーガイド３６のガイド溝３８には、操作レバー２６の複数のシフトレンジ、すなわち、「Ｈ」ホームポジション、「Ｎ」レンジ、「Ｄ」レンジ、「Ｒ」レンジ、及び「Ｂ」レンジが設定されており、前述した如く操作レバー２６がセレクト操作または／及びシフト操作されることで選択した位置へ移動できる構成となっている。なお、図４においては、操作レバー２６の複数のシフトレンジの説明の解りやすくするために、後述するハウジング・サブアッシー７８における各シフトレンジを示してある。
【００２３】
また、図３に示す如く、ハウジング・レバーガイド３６の裏面には、ディテント溝４２が形成されている。このディテント溝４２は、ガイド溝３８と同様に操作レバー２６のセレクト操作及びシフト操作に対応したゲート形状でしかも凹凸が連続する傾斜面を成して形成されており、操作レバー２６のディテントロッド３０が圧接されている。これにより、操作レバー２６はセレクト方向及びシフト方向に節度をもって操作できると共に前記「Ｈ」ホームポジションに自動復帰するように構成されている。
【００２４】
また、プレート・サブアッシー１２には、センサユニット４４が設けられている。センサユニット４４は、ケース４６とリンク・センサ４８及びセレクトポジションセンサ５０を有した構成となっている。図２に詳細に示す如く、ケース４６とリンク・センサ４８とは、ケース４６の端部に設けられた揺動軸部５２にリンク・センサ４８が揺動回転可能に支持された構成となっており、リンク・センサ４８は揺動軸部５２を支点として下端部分が揺動可能である。また、リンク・センサ４８の先端（下端）部はケース４６に一体に形成されたガイド梁部５４の内側に入り込んでおり、リンク・センサ４８の不要な抜け出しを防止すると共にその揺動を案内している。
【００２５】
リンク・センサ４８のスライド孔５６には、操作レバー２６のピン部５８が入り込んでいる。したがって、操作レバー２６が前述の如くシャフト・セレクトポジション２４周りに回転すると（セレクト操作されると）、これに常に連動してリンク・センサ４８が揺動される構成である。
【００２６】
またここで、リンク・センサ４８を支持する揺動軸部５２には、緩衝手段としてのスプリング６０が巻装されている。このスプリング６０の一端部は、リンク・センサ４８に係止されており、他端部はケース４６の突起６２に係止されている。これにより、操作レバー２６が前記「Ｈ」ホームポジションに復帰する際に、すなわち操作レバー２６に連動してリンク・センサ４８が初期位置（図２に実線にて示す位置）へ揺動する際に、スプリング６０の捩り力によって、当該リンク・センサ４８とケース４６との衝撃を緩衝することができる構成となっている。
【００２７】
なお、このスプリング６０は、スプリング３２よりも弱い付勢力に設定されており、操作レバー２６が「Ｈ」ホームポジションに自動復帰する際に（ディテントロッド３０がディテント溝４２に沿って初期位置に復帰する際に）その移動を阻害しないように（操作レバー２６の戻り速度を弱める程度に）構成されている。
【００２８】
さらに、リンク・センサ４８と反対側のケース４６裏面側にはセレクトポジションセンサ５０が設けられており、このセレクトポジションセンサ５０の検出片６４がリンク・センサ４８の先端部に形成されたスライド孔６６に入り込んでいる。これにより、リンク・センサ４８が揺動されるとセレクトポジションセンサ５０が作動してリンク・センサ４８の揺動位置（すなわち、操作レバー２６のセレクト位置）が検出される構成となっている。
【００２９】
また、プレート・サブアッシー１２には、シフトポジションセンサ６８が設けられている。シフトポジションセンサ６８はシャフト・シフトポジション１４に対応して設けられており、ワッシャー７０を介在させてスクリュウ７２によってプレート・サブアッシー１２に締結固定されている。操作レバー２６がリテーナ１６と共にシャフト・シフトポジション１４周りに回転すると（シフト操作されると）、シフトポジションセンサ６８が作動して操作レバー２６のシフト位置が検出される構成となっている。
【００３０】
以上の構成の各部品が取り付けられたプレート・サブアッシー１２には、ハウジング・レバーガイド３６の表面側にカバースライド７４及びカバースライド７６を介在させてハウジング・サブアッシー７８が取り付けられてプレート・サブアッシー１２の一端開口部分を閉鎖しており、さらに、このハウジング・サブアッシー７８を挿通した操作レバー２６の先端部にはノブ８０が取り付けられている。
【００３１】
また一方、プレート・サブアッシー１２の他端開口部分には、カバープレート８２が取り付けられてプレート・サブアッシー１２の他端開口部分を閉鎖している。
【００３２】
次に、本第１の実施の形態に係るシフトレバー装置１０の作用を説明する。
【００３３】
シフトレバー装置１０では、操作レバー２６がセレクト操作及びシフト操作されることによって任意のシフトレンジが選択される。
【００３４】
すなわち、操作レバー２６がセレクト操作されると、この操作レバー２６をリテーナ１６に連結するシャフト・セレクトポジション２４周りに操作レバー２６のみが回転して、前記セレクト操作される。さらに、操作レバー２６がシフト操作されると、操作レバー２６がリテーナ１６と共にシャフト・シフトポジション１４周りに回転して、前記シフト操作される。
【００３５】
また、操作レバー２６がセレクト操作される際には、操作レバー２６に連動してリンク・センサ４８が動作し、セレクトポジションセンサ５０が作動されて、操作レバー２６の位置（セレクトポジション）検出が成され、操作レバー２６がシフト操作される際には、操作レバー２６に連動してシフトポジションセンサ６８が作動されて、操作レバー２６の位置（シフトポジション）検出が成される。
【００３６】
またさらに、乗員が操作レバー２６から手を放せば、操作レバー２６はリンク・センサ４８と共に所定の「Ｈ」ホームポジションに自動復帰する。
【００３７】
ここで、操作レバー２６がリンク・センサ４８と共に所定の「Ｈ」ホームポジションに自動復帰する際には、緩衝手段としてのスプリング６０の捩り力によって、リンク・センサ４８とケース４６との衝撃が緩衝される。したがって、リンク・センサ４８のケース４６への衝突に起因する衝突音（打撃音）が防止・抑制される。しかも、リンク・センサ４８は常に操作レバー２６に連動するため、スプリング６０によってリンク・センサ４８とケース４６との衝撃が緩衝されることで、操作レバー２６と他の部材（例えば、ハウジング・レバーガイド３６に開口するガイド溝３８）との衝撃も緩衝されることになり、操作レバー２６自体の衝突に起因する衝突音（打撃音）も防止・抑制される。
【００３８】
このように、本第１の実施の形態に係るシフトレバー装置１０では、操作レバー２６の位置検出のためのセレクトポジションセンサ５０を、操作レバー２６に連係して動作するリンク・センサ４８によって作動するように構成ししかも操作レバー２６がホームポジションに自動復帰するように構成しても、操作レバー２６のみならず当該リンク・センサ４８の衝突に起因する衝突音（打撃音）を防止・抑制することができる。またさらに、緩衝手段としてスプリング６０を適用したので、構造も簡単になる。
【００３９】
なお、前述した第１の実施の形態においては、操作レバー２６のホームポジションを図４に示す如く「Ｈ」位置に設定した構成としたが、ホームポジションとはこのような「Ｈ」位置に限定されるわけではなく、ある所定の位置（すなわち、起点となる位置）であり、操作レバー２６の他の移動位置を「ホームポジション」として設定する構成としてもよい。
【００４０】
次ぎに、本発明の他の実施の形態を説明する。
【００４１】
なお、前記第１の実施の形態と基本的に同一の部品には、前記第１の実施の形態と同一の符号を付与しその説明を省略する。
【００４２】
図５には、第２の実施の形態に係るシフトレバー装置１０に適用されたセンサユニット９０の正面図が示されている。
【００４３】
センサユニット９０は、前述した第１の実施の形態と同様に、ケース４６とリンク・センサ９２及びセレクトポジションセンサ５０を有した構成となっている。リンク・センサ９２は、ケース４６の端部に揺動回転可能に支持された構成となっており、下端部分が揺動可能である。
【００４４】
またここで、リンク・センサ９２には、緩衝手段としての突出片９４が一体に形成されている。この突出片９４は、弾性を有しており（弾性変形可能であり）、先端部はケース４６の突起９６に係合している。これにより、操作レバー２６が前記ホームポジションに復帰する際に、すなわち操作レバー２６に連動してリンク・センサ９２が初期位置（図５に示す位置）へ揺動する際に、突出片９４の弾性力によって、当該リンク・センサ９２とケース４６との衝撃を緩衝することができる構成となっている。
【００４５】
なお、この突出片９４も、前述した第１の実施の形態に係るスプリング６０と同様に、スプリング３２の付勢力よりも弱い弾性力に設定されており、操作レバー２６が「Ｈ」ホームポジションに自動復帰する際に（ディテントロッド３０がディテント溝４２に沿って初期位置に復帰する際に）その移動を阻害しないように（操作レバー２６の戻り速度を弱める程度に）構成されている。
【００４６】
他の構成については、前記第１の実施の形態と同様である。
【００４７】
上記構成の第２の実施の形態に係るシフトレバー装置１０（センサユニット９０）では、リンク・センサ９２に形成された突出片９４がケース４６に係合している。このため、操作レバー２６が所定の「Ｈ」ホームポジションに自動復帰する際には、突出片９４の弾性力によって前述の如き緩衝が成され、リンク・センサ９２のケース４６への衝突に起因する衝突音（打撃音）及び操作レバー２６自体の衝突に起因する衝突音（打撃音）が防止・抑制される。また、緩衝手段として突出片９４をリンク・センサ９２に形成する構成としたので、構造も簡単になる。
【００４８】
次ぎに、図６（Ａ）には、第３の実施の形態に係るシフトレバー装置１０に適用されたセンサユニット１００の正面図が示されており、図６（Ｂ）には、図６（Ａ）のＢ−Ｂ線に沿った断面図が示されている。
【００４９】
センサユニット１００は、前述した第１の実施の形態と同様に、ケース４６とリンク・センサ４８及びセレクトポジションセンサ５０を有した構成となっている。リンク・センサ４８は、揺動軸部５２を支点として下端部分が揺動可能である。また、リンク・センサ４８の先端部はケース４６に一体に形成されたガイド梁部５４の内側に入り込んでおり、リンク・センサ４８の不要な抜け出しを防止すると共にその揺動を案内している。
【００５０】
またここで、ケース４６には、ガイド梁部５４の内壁に対応して（すなわち、リンク・センサ４８の下端部に対応して）、緩衝手段としての傾斜凸部１０２が形成されている。この傾斜凸部１０２は、ケース４６からガイド梁部５４へ向けて傾斜して所謂楔状に突出形成されており、リンク・センサ４８の下端部に係合可能となっている。これにより、操作レバー２６が前記「Ｈ」ホームポジションに復帰する際に、すなわち操作レバー２６に連動してリンク・センサ４８が初期位置（図６（Ａ）及び図６（Ｂ）に示す位置）へ揺動する際に、傾斜凸部１０２がリンク・センサ４８に係合して摩擦力によって、当該リンク・センサ４８とケース４６との衝撃を緩衝することができる構成となっている。
【００５１】
なお、この傾斜凸部１０２も、前述した第１の実施の形態に係るスプリング６０と同様に、スプリング３２の付勢力よりも弱い摩擦力が生じるように設定されており、操作レバー２６が「Ｈ」ホームポジションに自動復帰する際に（ディテントロッド３０がディテント溝４２に沿って初期位置に復帰する際に）その移動を阻害しないように（操作レバー２６の戻り速度を弱める程度に）構成されている。
【００５２】
他の構成については、前記第１の実施の形態と同様である。
【００５３】
上記構成の第３の実施の形態に係るシフトレバー装置１０（センサユニット１００）では、傾斜凸部１０２がケース４６に傾斜して形成されている。このため、操作レバー２６が所定の「Ｈ」ホームポジションに自動復帰する際には、リンク・センサ４８が傾斜凸部１０２に係合することによる摩擦力によって前述の如き緩衝が成され、リンク・センサ４８のケース４６への衝突に起因する衝突音（打撃音）及び操作レバー２６自体の衝突に起因する衝突音（打撃音）が防止・抑制される。また、緩衝手段として傾斜凸部１０２をケース４６に形成する構成としたので、構造も簡単になる。
【００５４】
なお、前述した第３の実施の形態においては、緩衝手段としての傾斜凸部１０２を、リンク・センサ４８の下端部に対応してケース４６の本体部分に形成する構成としたが、これに限らず、当該傾斜凸部１０２をガイド梁部５４の内壁に形成する構成としてもよい。
【図面の簡単な説明】
【００５５】
【図１】本発明の第１の実施の形態に係るシフトレバー装置の全体構成を示す分解斜視図である。
【図２】本発明の第１の実施の形態に係るシフトレバー装置のセンサユニットを構成するケースとリンク・センサ及びスプリングの構成を示す正面図である。
【図３】本発明の第１の実施の形態に係るシフトレバー装置のハウジング・レバーガイドに設けられたガイド溝及びディテント溝の構成を示し、ハウジング・レバーガイドを裏面から視た斜視図である。
【図４】本発明の第１の実施の形態に係るシフトレバー装置の操作レバーの複数のシフトレンジの構成を示すハウジング・サブアッシーの平面図である。
【図５】本発明の第２の実施の形態に係るシフトレバー装置のセンサユニットを構成するケースとリンク・センサ及び突出片の構成を示す正面図である。
【図６】（Ａ）は、本発明の第３の実施の形態に係るシフトレバー装置のセンサユニットを構成するケースとリンク・センサ及び傾斜凸部の構成を示す正面図であり、（Ｂ）は、（Ａ）のＢ−Ｂ線に沿った断面図である。
【符号の説明】
【００５６】
１０    シフトレバー装置
１２    プレート・サブアッシー
１４    シャフト・シフトポジション
１６    リテーナ
２４    シャフト・セレクトポジション
２６    操作レバー
４４    センサユニット
４６    ケース
４８    リンク・センサ
５０    セレクトポジションセンサ
６０    スプリング（緩衝手段）
６８    シフトポジションセンサ
【図１】
2006213074.tif 000003
【図２】
2006213074.tif 000004
【図３】
2006213074.tif 000005
【図４】
2006213074.tif 000006
【図５】
2006213074.tif 000007
【図６】
2006213074.tif 000008